(57)【要約】筐体状のドライブケース（２）内に、半導体レーザ（５）を搭載した光ヘッド（７）と、光ディスク（８）を駆動する回転駆動手段と、光ヘッド（７）を移送する移送機構とを備えた光ディスクドライブメカニズムが配置されており、ドライブケース（２）内の空気を流動させる撹拌ファン（１２）を備えており、撹拌ファン（１２）の回転により、ドライブケース（２）内の空気が撹拌ファン（１２）側に吸気され、かつ吸気された空気が光ヘッド（７）又は半導体レーザ（５）に向けて吹き出すように空気が流動する風路が形成されている。このことにより、防塵性を確保しつつ、半導体レーザ（５）の温度上昇を効果的に抑制することができる。
2004034399.tif 000002
【特許請求の範囲】
【請求項１】
筐体状のドライブケース内に、半導体レーザを搭載した光ヘッドと、光ディスクを駆動する回転駆動手段と、前記光ヘッドを移送する移送機構とを備えた光ディスクドライブメカニズムが配置されており、
前記ドライブケース内の空気を流動させる撹拌ファンを備えており、
前記撹拌ファンの回転により、前記ドライブケース内の空気が前記撹拌ファン側に吸気され、かつ前記吸気された空気が前記光ヘッド又は前記半導体レーザに向けて吹き出すように空気が流動する風路が形成されていることを特徴とする光ディスク装置。
【請求項２】
前記ドライブケースは、筐体状の本体ケース内に配置されており、前記本体ケース内は、前記ドライブケースと、外気との通気孔を有するデッキ領域とに区画されており、
前記デッキ領域に、前記光ディスクドライブメカニズムを駆動するドライブ回路と、前記ドライブ回路の電源が配置されている請求項１に記載の光ディスク装置。
【請求項３】
前記ドライブケースは、筐体状の本体ケース内に配置されており、前記本体ケース内は、前記ドライブケースと、外気との通気孔を有するデッキ領域とに区画されており、
前記光ヘッドは、短波長の半導体レーザを搭載した第１の光ヘッドと、長波長の半導体レーザを搭載した第２の光ヘッドとであり、
前記光ディスクドライブメカニズムは、前記第１、第２の光ヘッドと、前記第１の光ヘッドを移送する第１の移送機構と、前記第２の光ヘッドを移送する第２の移送機構と、前記第１及び第２の移送機構にそれぞれ独立して設けられ光ディスクを駆動する回転駆動手段とを備えており、
前記第１及び第２の移送機構は、前記回転駆動手段に搭載された光ディスクの面と平行で、かつ前記第１及び第２の光ヘッドの移送方向と垂直な方向に並列配置されており、
前記デッキ領域に、前記光ディスクドライブメカニズムを駆動するドライブ回路と、前記ドライブ回路の電源が配置されており、
前記撹拌ファンは、前記撹拌ファンから吹き出した空気が、前記第１の移送機構、前記第２の移送機構の順に流れるように、前記第１の移送機構と対向する位置に配置されている請求項１に記載の光ディスク装置。
【請求項４】
前記短波長の半導体レーザは、前記第１の光ヘッドの移送方向と垂直な方向における側面のうち、前記撹拌ファンに近い側の側面に配置されている請求項３に記載の光ディスク装置。
【請求項５】
前記長波長の半導体レーザは、前記第２の光ヘッドの移送方向と垂直な方向における側面のうち、前記撹拌ファンに近い側の側面に配置されている請求項３に記載の光ディスク装置。
【請求項６】
前記第２の光ヘッドの記録再生時においては、前記撹拌ファンから吹き出した空気が、第２の光ヘッドに直接吹き付けられるように、前記第１の移送機構の位置が変化する請求項３に記載の光ディスク装置。
【請求項７】
前記風路は、前記光ヘッドより下方の空気を吸気し、前記吸気された空気が、前記撹拌ファンを経て、前記光ヘッド又は前記半導体レーザに向けて吹き出すように形成されている請求項１に記載の光ディスク装置。
【請求項８】
前記ドライブケースの側壁に、前記ドライブケース内の空気を吸気する吸気口と、前記ドライブケース内に空気を吹き出す吹出口とが形成されており、
前記風路は、前記吸気口と前記吹出口とをつなぎ、前記ドライブケースの外側に延出した風導管で形成されており、前記撹拌ファンは前記風導管内に配置されている請求項１に記載の光ディスク装置。
【請求項９】
前記風導管は、断熱材で覆われている請求項８に記載の光ディスク装置。
【請求項１０】
前記風導管を通過する空気を冷却する冷却手段を備えた請求項８に記載の光ディスク装置。
【請求項１１】
前記冷却手段は、空冷方式である請求項１０に記載の光ディスク装置。
【請求項１２】
前記冷却手段は、前記風導管に取付けたヒートパイプ又は高熱伝導性材料である請求項１０に記載の光ディスク装置。
【請求項１３】
前記冷却手段は、ペルチェ素子である請求項１０に記載の光ディスク装置。
【請求項１４】
前記光ヘッドの可動範囲の全域にわたって、前記光ヘッド又は前記半導体レーザに、前記撹拌ファンから吹き出した空気を吹き付けるように、前記攪拌ファンが配置されている請求項１に記載の光ディスク装置。
【請求項１５】
前記光ヘッドの可動範囲の全域にわたって、前記光ヘッド又は前記半導体レーザに、前記撹拌ファンから吹き出した空気を吹き付けるように、ダクトが配置されている請求項１に記載の光ディスク装置。
【請求項１６】
前記ダクトは風向板であり、前記光ヘッドの前記光ディスクの半径方向の移動と連動して前記風向板の傾斜角度が変化し、前記傾斜角度の変化により、前記撹拌ファンの吹出流の向きが、前記光ヘッドの移動に追従する請求項１５に記載の光ディスク装置。
【請求項１７】
前記吸気された空気の集塵をする集塵フィルタを設けている請求項１に記載の光ディスク装置。
【請求項１８】
前記撹拌ファンの吹出流の前記ドライブケース内への吹き出し位置と、前記光ヘッドに搭載され前記半導体レーザの光を集光する対物レンズとを結ぶ直線上に、遮蔽板を設けている請求項１に記載の光ディスク装置。
【発明の詳細な説明】
【技術分野】  本発明は、光ディスクドライブを搭載した光ディスク装置に関する。
【背景技術】  一般に、光ディスクドライブ内に塵埃が侵入し続けると、光ヘッドの光学系、特に対物レンズに埃が付着し光ヘッドから出射する光の光量の低下が進行する。光の光量の低下が進行すると、記録再生信号、対物レンズのフォーカシング制御信号、及びトラッキング制御信号の振幅が劣化し続け、ついにはシステムが破綻し記録再生ができなくなる。したがって、光ディスクドライブの信頼性を確保するために、光ディスクドライブを密閉構造とするなど塵埃の侵入を極力防ぐ防塵対策が必要となる。
その一方で、光ディスクドライブを搭載した光ディスク装置には、ディスクモータ、光ヘッド移送モータ、光ヘッドに搭載される半導体レーザ、これらを駆動するドライブ回路、及び電源といった発熱源となる部品が装備されている。
前記のような防塵対策のため、光ディスクドライブを密閉構造とすると、当然各々の発熱源の熱は移動しにくくなり、熱がその場に留まって蓄積されていくこととなる。特に半導体レーザは、使用温度環境と寿命との間に相関があり、高温で使用すると素子の寿命が短くなる。このため、できるだけ低い温度環境で動作させることが望ましいが、高出力で使用する記録時には素子自身の発熱が大きくなる。
さらに光ディスクドライブが密閉されていることによって、熱が蓄積して素子の温度が上昇し、寿命を考慮した素子の保証温度範囲を超えてしまう。すなわち、装置としての十分な信頼性を確保するためには、半導体レーザの放熱対策が必要となる。
防塵対策と放熱対策という相反する課題を同時に解決するものとして、例えば下記特許文献１に提案されている光ディスクサブシステム装置がある。この装置は、光ディスクドライブと、光ディスクドライブを駆動するための電源と、筐体内を冷却するための冷却手段とを搭載した光ディスクサブシステム装置において、筐体内を敷居板により第１室と第２室とに区画形成し、第１室を密閉して光ディスクドライブ及び冷却手段を配置し、この冷却手段により内部空気循環路を形成するというものである。
この従来例によれば、第１室は密閉されているので、配置される光ディスクドライブは防塵による悪影響は除去され、また冷却手段により内部に空気が循環するので、第１室内の温度の分布が徐々に均質化され、光ヘッドに搭載された半導体レーザの温度も低下することになる。
しかしながら、この構成は密閉された第１室内に内部空気循環路を形成して、第１室の室内全体に空気の流れを形成するものである。この空気の流れは、室内の温度分布を均一化させる熱移動を起こす効果があるが、一般に空冷による熱移動は空気の流れの流量と流速が大きいほど効率よく行われる。
このため、熱源が発生する熱量に対して、流量又は流速が小さいと熱源の放熱効果も小さいものとなる。半導体レーザは、光ディスクの構成要素の中で最も耐熱性が低くかつ熱源でもあるので、半導体レーザの温度上昇を抑制することが、装置の熱的な信頼性及び耐久性を向上するために最も効果的である。
前記特許文献１に記載の装置は、第１室の室内全体に空気の流れを形成するものであり、半導体レーザに到達する空気の流れの流量及び流速は、ファンによって発生させた空気の流れの一部である。この構成では、半導体レーザの温度上昇を抑制するには効率が低くなり、十分な放熱効果を得ることができない。この場合、半導体レーザの放熱効果を高めるには、径の大きなファンを用いて流量を増大させ、ファンの回転数を上げて流速を高める必要がある。
しかしながら、ファンの径を大きくすると、装置が大型化してしまい商品性を損なうため流量の増大には限界がある。さらに、ファンの回転数を上げるとファンの騒音が大きくなり商品性を損なうことに加えて、ファン自身の発熱が大きくなり、このことが放熱効果を低下させることになり、流速の向上にも限界がある。
したがって、特許文献１の構成では、半導体レーザに対して所望の放熱効果を得るためには限界があり、装置の熱的な信頼性及び耐久性を確保することができないという問題点があった。
また、上記の従来例の装置では、光ディスクドライブが構成されるエリア以外の場所を通過する空気循環路を形成しており、装置全体が大型化してしまい商品性を損なうという問題点があった。
【特許文献１】  特開平０８−１０２１８０号公報
【発明の開示】
本発明は、前記のような従来の問題点を解決するものであり、光ディスクドライブを密閉構造として防塵性を確保しながら、効率的な熱移動により半導体レーザの温度上昇を抑制することができ、装置の熱的な信頼性及び耐久性を向上することができる光ディスク装置を提供することを目的としている。
前記目的を達成するために、本発明の光ディスク装置は、筐体状のドライブケース内に、半導体レーザを搭載した光ヘッドと、光ディスクを駆動する回転駆動手段と、前記光ヘッドを移送する移送機構とを備えた光ディスクドライブメカニズムが配置されており、前記ドライブケース内の空気を流動させる撹拌ファンを備えており、前記撹拌ファンの回転により、前記ドライブケース内の空気が前記撹拌ファン側に吸気され、かつ前記吸気された空気が前記光ヘッド又は前記半導体レーザに向けて吹き出すように空気が流動する風路が形成されていることを特徴とする。
【図面の簡単な説明】  図１は、本発明の実施の形態１に係る光ディスク装置の内部構造の概略を示す正面図。
図２は、図１に示した光ディスク装置の内部構造の概略を示す平面図。
図３は、本発明の実施の形態１に係る光ディスク装置の実験結果を示す図。
図４は、本発明の実施の形態２に係る光ディスク装置の内部構造の概略を示す平面図。
図５は、本発明の実施の形態３に係る光ディスク装置の光ヘッド７が光ディスク８の内周側にある状態の内部構造の概略を示す平面図。
図６は、本発明の実施の形態３に係る光ディスク装置の光ヘッド７が光ディスク８の外周側にある状態の内部構造の概略を示す平面図。
図７は、本発明の実施の形態４に係る光ディスク装置の内部構造の概略を示す平面図。
図８は、図７に示した光ディスク装置の内部構造の概略を示す正面図。
図９は、図７に示した光ディスク装置の内部構造の概略を示す側面図。
図１０は、図７に示した光ディスク装置において、第１の光ヘッド２６の動作時における光ディスク装置の内部構造の概略を示す正面図。
図１１は、図１０の状態における光ディスク装置の内部構造の概略を示す側面図。
図１２は、図７に示した光ディスク装置において、第２の光ヘッド３２の動作時における光ディスク装置の内部構造の概略を示す正面図。
図１３は、図１２の状態における光ディスク装置の内部構造の概略を示す側面図。
図１４は、本発明の実施の形態５に係る光ディスク装置の内部構造の概略を示す側面図。
【発明を実施するための最良の形態】  本発明によれば、ドライブケース内に光ヘッドを収めて防塵性を確保した上で、ドライブケース内から吸気し攪拌ファンから吹き出した空気を光ヘッド又は半導体レーザに吹き付けるので、防塵性を確保しつつ、半導体レーザの温度上昇を効果的に抑制することができる。
前記本発明の光ディスク装置においては、前記ドライブケースは、筐体状の本体ケース内に配置されており、前記本体ケース内は、前記ドライブケースと、外気との通気孔を有するデッキ領域とに区画されており、前記デッキ領域に、前記光ディスクドライブメカニズムを駆動するドライブ回路と、前記ドライブ回路の電源が配置されていることが好ましい。この構成によれば、デッキ領域の通気孔から導入した外気により、デッキ領域の冷却を行うことができ、ドライブ回路や電源で発生する熱が、ドライブケースの内部へ熱移動することを抑えることができる。
また、前記ドライブケースは、筐体状の本体ケース内に配置されており、前記本体ケース内は、前記ドライブケースと、外気との通気孔を有するデッキ領域とに区画されており、前記光ヘッドは、短波長の半導体レーザを搭載した第１の光ヘッドと、長波長の半導体レーザを搭載した第２の光ヘッドとであり、前記光ディスクドライブメカニズムは、前記第１、第２の光ヘッドと、前記第１の光ヘッドを移送する第１の移送機構と、前記第２の光ヘッドを移送する第２の移送機構と、前記第１及び第２の移送機構にそれぞれ独立して設けられ光ディスクを駆動する回転駆動手段とを備えており、前記第１及び第２の移送機構は、前記回転駆動手段に搭載された光ディスクの面と平行で、かつ前記第１及び第２の光ヘッドの移送方向と垂直な方向に並列配置されており、前記デッキ領域に、前記光ディスクドライブメカニズムを駆動するドライブ回路と、前記ドライブ回路の電源が配置されており、前記撹拌ファンは、前記撹拌ファンから吹き出した空気が、前記第１の移送機構、前記第２の移送機構の順に流れるように、前記第１の移送機構と対向する位置に配置されていることが好ましい。
この構成によれば、第１、第２の光ヘッドを備えた構成において、攪拌ファンに近い側に、短波長の半導体レーザ用の第１の移送機構が配置されているので、長波長の半導体レーザに比べ温度上昇の大きい短波長の半導体レーザを効率的に冷却することができる。
さらに、デッキ領域の通気孔から導入した外気により、デッキ領域の冷却を行うことができ、ドライブ回路や電源で発生する熱が、ドライブケースの内部へ熱移動することを抑えることができる。
また、前記短波長の半導体レーザは、前記第１の光ヘッドの移送方向と垂直な方向における側面のうち、前記撹拌ファンに近い側の側面に配置されていることが好ましい。この構成によれば、短波長の半導体レーザをより効率的に冷却できる。
また、前記長波長の半導体レーザは、前記第２の光ヘッドの移送方向と垂直な方向における側面のうち、前記撹拌ファンに近い側の側面に配置されていることが好ましい。この構成によれば、長波長の半導体レーザをより効率的に冷却できる。
また、前記第２の光ヘッドの記録再生時においては、前記撹拌ファンから吹き出した空気が、第２の光ヘッドに直接吹き付けられるように、前記第１の移送機構の位置が変化することが好ましい。この構成によれば、攪拌ファンの位置から遠い第２の光ヘッドの動作時においても、攪拌ファンからの吹出流は、温度上昇することなく、遮蔽物に妨げられて流速が低下することもなく、長波長の半導体レーザに直接吹き付けられることになり、長波長の半導体レーザを効率良く冷却できる。
また、前記風路は、前記光ヘッドより下方の空気を吸気し、前記吸気された空気が、前記撹拌ファンを経て、前記光ヘッド又は前記半導体レーザに向けて吹き出すように形成されていることが好ましい。この構成によれば、前記光ヘッドの下方の低温空気を光ヘッド又は半導体レーザに向けて吹き出すので、冷却を効率良く行なうことができる。
また、前記ドライブケースの側壁に、前記ドライブケース内の空気を吸気する吸気口と、前記ドライブケース内に空気を吹き出す吹出口とが形成されており、前記風路は、前記吸気口と前記吹出口とをつなぎ、前記ドライブケースの外側に延出した風導管で形成されており、前記撹拌ファンは前記風導管内に配置されていることが好ましい。この構成によれば、風導管は、ドライブケースの外側に延出するように配置されているので、デッキ領域の空間を有効利用でき、装置を大型化することなく、撹拌ファンを設けることができる。
また、前記風導管は、断熱材で覆われていることが好ましい。この構成によれば、デッキ領域に配置されている回路基板又は電源の熱によって、風導管の内部を通過する空気の温度が上昇することを防止できるので、半導体レーザを高出力で使用する記録時においても、半導体レーザの温度を低く保つことができる。
また、前記風導管を通過する空気を冷却する冷却手段を備えたことが好ましい。この構成によれば、撹拌ファンによる冷却効果を高めることができ、周囲の温度状況による冷却効果の低下を抑えることができる。
また、前記冷却手段は、空冷方式であることが好ましい。この構成によれば、構造が簡単になる。
また、前記冷却手段は、前記風導管に取付けたヒートパイプ又は高熱伝導性材料であることが好ましい。この構成によれば、撹拌ファンによる冷却効果の向上に優れている。
また、前記冷却手段は、ペルチェ素子であることが好ましい。この構成によれば、撹拌ファンによる冷却効果の向上に優れている。
また、前記光ヘッドの可動範囲の全域にわたって、前記光ヘッド又は前記半導体レーザに、前記撹拌ファンから吹き出した空気を吹き付けるように、前記攪拌ファンが配置されていることが好ましい。この構成によれば、半導体レーザの温度を常に低く保つことができる。
また、前記光ヘッドの可動範囲の全域にわたって、前記光ヘッド又は前記半導体レーザに、前記撹拌ファンから吹き出した空気を吹き付けるように、ダクトが配置されていることが好ましい。この構成によれば、半導体レーザの温度を常に低く保つことができる。
また、前記ダクトは風向板であり、前記光ヘッドの前記光ディスクの半径方向の移動と連動して前記風向板の傾斜角度が変化し、前記傾斜角度の変化により、前記撹拌ファンの吹出流の向きが、前記光ヘッドの移動に追従することが好ましい。この構成によれば、光ヘッドが可動範囲のどの位置にあっても、攪拌ファンの吹出流が直接半導体レーザに吹き付けられることになり、半導体レーザの温度は、常に低く保たれることになる。
また、前記吸気された空気の集塵をする集塵フィルタを設けていることが好ましい。この構成によれば、ドライブケース内の塵埃は、撹拌ファンによる吸気の際に除塵され、吸気が継続するにつれて、ドライブケースの内部は、よりクリーンな環境が形成されていくことになる。
また、前記撹拌ファンの吹出流の前記ドライブケース内への吹き出し位置と、前記光ヘッドに搭載され前記半導体レーザの光を集光する対物レンズとを結ぶ直線上に、遮蔽板を設けていることが好ましい。この構成によれば、対物レンズに向かって吹き付けられた空気の流れを対物レンズの手前で乱すことができ、この空気に含まれている塵埃が対物レンズに付着するのを防止できる。
以下、本発明の実施の形態について、図面を参照しながら説明する。
（実施の形態１）
図１は本発明の実施の形態１に係る光ディスク装置の内部構造の概略を示す正面図、図２は図１に示した光ディスク装置の内部構造の概略を示す平面図である。図１、２において、筐体状の本体ケース１の内部には筐体状のドライブケース２が搭載されている。このドライブケース２によって本体ケース１の内部はデッキ領域３とドライブ領域４とに区画されている。また、ドライブ領域４は、ドライブケース２によって外気から密閉された密閉構造になっている。
図２に示したように、ドライブ領域４には、光ヘッド７が配置されており、光ヘッド７はガイドシャフト１１ａ、１１ｂに支持されている。光ヘッド７には、記録再生のための光源である半導体レーザ５、及び半導体レーザ５の光を集光する対物レンズ６が搭載されている。ガイドシャフト１１ａは、スクリューシャフトであり、その端部が送りモータ１０の回転軸に連結されている。これらのガイドシャフト１１ａ、１１ｂ、及び送りモータ１０によって、光ヘッド移送機構が構成されている。
光ディスク８は、回転駆動手段であるディスクモータ９にチャッキングされて配置されている。光ディスク８には、対物レンズ６によって集光された光が照射される。この光ヘッド７及びディスクモータ９に加え、前記の光ヘッド移送機構によって光ディスクドライブメカニズムが構成されている。
なお、図示は省略しているが、本実施の形態では、トレイ上に載置した光ディスク８を、ドライブケース２に搬入、及びドライブケース２から搬出させるローディング機構、この搬入及び搬出のためのドライブケース２の開閉機構を備えている。
図１に示したように、ドライブケース２の側面のうち、ドライブケース２の下部には、吸気口１２ａが設けられている。この吸気口１２ａの上部に、吹出口１２ｂが形成されている。吸気口１２ａと吹出口１２ｂは、風導管１２ｃによってつながっている。風導管１２ｃは、ドライブ領域４の密閉性を損なわないように、ドライブケース２に密着して取付けられている。風導管１２ｃの内部には、撹拌ファン１２が取付けられている。
風導管１２ｃは、ドライブケース２の外側に延出するように配置されているので、デッキ領域３の空間を有効利用でき、装置を大型化することなく、撹拌ファン１２を設けることができる。
撹拌ファン１２の回転により、ドライブケース２内の空気は、ドライブケース２の下部の吸気口１２ａを経て攪拌ファン１２に向けて吸気され、上部の吹出口１２ｂからドライブケース２内に吹き出される。
攪拌ファン１２と半導体レーザ５とは、対向するように配置されているので、攪拌ファン１２からの吹出流は、半導体レーザ５に向けて直接吹き付けられることになる。
次に、デッキ領域３のうち、ドライブケース２の上側には、光ディスクドライブメカニズムを駆動するドライブ回路１３が配置されている。ドライブケース２の側面側には、ドライブ回路１３に電力を供給する電源１４が配置されている。
以上のように構成された光ディスク装置について、以下その動作をより具体的に説明する。光ディスク８がディスクモータ９に装着されて、光ディスク装置が記録再生動作を開始すると、電源１４自身が発熱する。さらに、半導体レーザ５、光ディスク８を回転駆動するディスクモータ９、光ヘッド７を光ディスク８の半径方向に移送する駆動力を発生する送りモータ１０、及び光ディスクドライブメカニズムを駆動するドライブ回路１３に電源１４によって電力が供給される。このため、これらの各構成要素も発熱する。
ここで、図２に示したように、本体ケース１に形成された排気孔１９の位置には、デッキファン１５が取付けられており、本体ケース１の下面には通気孔１６が設けられている。デッキファン１５の回転軸方向について見ると、デッキファン１５と、電源１４とは回転軸方向に並列して配置されている。また、図１に示したように、デッキファン１５の正面側から見ると、デッキファン１５と、電源１４とは上下方向に並列して配置されている。
デッキファン１５の回転により、通気孔１６から外部の空気がデッキ領域３に取り入れられ、デッキ領域３の空気は排気孔１９を経て本体ケース１の外部に排出される。この空気の流れの途中に、ドライブ回路１３及び電源１４があるので、これらから発生している熱は、外部から吸引され連続的に供給される空気に移動し、その空気は外部に排出されることになる。
このことにより、デッキ領域３の冷却が行われ、ドライブ回路１３や電源１４で発生する熱が、ドライブケース２の内部へ熱移動することを極力抑えることができる。また、前記のようなデッキファン１５と電源１４との位置関係により、電源１４の発熱により温度上昇した暖気を効率的に排出できる。
一方、ドライブケース２の内部では半導体レーザ５、ディスクモータ９、送りモータ１０が発熱し、温度分布が生じている。この場合、光源である半導体レーザ５の熱は自然放熱により上方へ移動する割合が高いので、ドライブ領域４の高さ方向においては、上方の領域に比べて下方の領域の温度が低くなる。
この下方の低温空気は、撹拌ファン１２の回転により、吸気口１２ａから吸気され、吹出口１２ｂから対向する半導体レーザ５に向けて直接吹き付けられる。このことにより、半導体レーザ５の熱を強制的に放熱させることができる。この場合、半導体レーザ５と吹出口１２ｂは対向しているので、攪拌ファン１２が発生する風の流量及び流速が最も大きい状態で、下方の低温空気は半導体レーザ５に吹き付けられることになる。このため、効率の高い熱移動が起こり、半導体レーザ５の温度上昇は効果的に抑制されることになる。
半導体レーザ５に吹き付けられた空気は、ドライブケース２の上方を流動後、下方に還流し再び吸気口１２ａから吸気されることになる。すなわち、撹拌ファン１２の回転により、ドライブケース２の内部の空気を下方から上方へ、さらに上方から下方へと流動するように、強制対流させることができる。このことにより、半導体レーザ５以外の熱源であるディスクモータ９や送りモータ１０の温度上昇も抑えられることになる。
また、光ヘッド７が光ディスク８の内周から外周までの径方向（図２の矢印ａ方向）の可動範囲内のどの位置にあっても、攪拌ファン１２からの吹出流が半導体レーザ５に吹き付けられるようにすれば、常に半導体レーザ５の温度は低く保たれることになる。これは、攪拌ファン１２の配置位置の調整によって実現できる。具体的には、光ディスク８の径方向における攪拌ファン１２の配置位置の調整、攪拌ファン１２と半導体レーザ５との間の距離の調整や、吹出口１２ｂの大きさの調整を行うことになる。
以上のように、本実施の形態によれば、ドライブケース２を密閉構造として防塵性を確保した上で、装置を大型化することなく半導体レーザ５の温度上昇を効果的に抑制することができる。このため、半導体レーザ５を高出力で使用する記録時においても、素子の温度を低く保つことができ、素子寿命の長期化が可能となり、光ディスク装置として熱及び塵埃に対する高い信頼性と耐久性を実現することができる。
なお、本実施の形態では、攪拌ファンからの吹出流は、半導体レーザに吹き付けられるが、この吹出流は半導体レーザだけでなく、その近傍の光ヘッドにも吹き付けられることになる。このため、半導体レーザ近傍に配置され半導体レーザを駆動するためのＬＳＩや回路部品についても、冷却効果が高くなる。このことは、以下の実施の形態においても同様である。
また、本実施の形態では、前記のように、本体ケース１の内部は、ドライブケース２によって、密閉構造のドライブ領域４と、外気と通気性があるデッキ領域３とに区画されている。このため、ドライブ領域４の内部は防塵性が確保されており、光ヘッド７の光学系、特に対物レンズ６の防塵性も確保されている。
しかしながら、光ディスクの出し入れ時には、ドライブケース２の一部が開放するので、塵埃がドライブ領域４内に混入する可能性があり、塵埃が付着した光ディスクがドライブ領域４内に取り込まれる可能性もある。
可換媒体である光ディスク１３に塵埃が付着した状態でディスクモータ９に装着されると、ドライブケース２の内部で光ディスク１３の回転や撹拌ファン１２の気流により、空気が撹拌され塵埃が拡散することになる。
本実施の形態では、図１に示したように、吸気口１２ａには集塵フィルタ１７が取付けられているので、この塵埃は吸気口１２ａから吸気される際に集塵フィルタ１７によって除塵される。この動作を繰り返し行うことにより、ドライブケース２の内部は、よりクリーンな環境が形成されていくことになる。
また、空気が集塵フィルタ１７を通過しても、塵埃の一部が除去されなかった場合や、ドライブケース２の内部に浮遊する塵埃が吹出口１２ｂからの気流に巻き込まれた場合には、対物レンズ６に塵埃が付着する可能性がある。本実施の形態では、光ヘッド７上で吹出口１２ｂと対物レンズ６とを結ぶ直線上に遮蔽板１８が構成されている。このため、対物レンズ６に向かって吹き付けられた吹出流の流れを対物レンズの手前で乱すことができ、吹出流に含まれた塵埃が対物レンズ６に付着することを防止している。
以下、本実施の形態の効果を確認する実験を行ったので説明する。図３は、実験結果を示すグラフである。横軸は運転開始からの経過時間ｔ（分）で、縦軸は温度Ｔ（℃）である。ｔ１で示した区間は、撹拌ファン１２の動作を停止させた区間であり、ｔ２で示した区間は、撹拌ファン１２を動作させた区間である。線５０は半導体レーザ５の温度、線５１はドライブケース２の空間上部の温度、線５２はドライブケース２の空間下部の温度を示している。
区間ｔ１について見ると、ドライブケース２の空間温度は、時間が経過してもほとんど変化していない。これに対して、半導体レーザ５の温度は時間経過とともに上昇し、ドライブケース２の空間下部の温度に比べると最大２０℃程度の温度差を生じている。
一方、撹拌ファン１２を動作させた区間ｔ２について見ると、半導体レーザ５の温度は、急激に低下し１００分経過後は、区間ｔ２の最大値から１２℃程度低下した状態で、ほぼ安定状態になっている。
このような大幅な温度の下降は、半導体レーザ５の温度に比べ、約２０℃温度の低いドライブケース２の空間下部の空気を半導体レーザ５に直接吹き付けたことによるものと考えられ、本実施の形態の効果を確認することができた。
（実施の形態２）
図４は、本発明の実施の形態２に係る光ディスク装置の内部構造の概略を示す平面図である。図４において、図２と同一の作用をする部位には同じ符号を付している。
図４において、吹出口１２ｂの近傍にダクト１９が設けられている。ダクト１９は、吹出口１２ｂからの吹出流が、半導体レーザ５に向かって流動するように配置されている。
図４の構成では、半導体レーザ５と吹出口１２ｂとが対向するように配置されていないが、ダクト１９により、吹出流の向きを変えることができ、撹拌ファン１２からの吹出流を半導体レーザ５に直接吹き付けることができる。この構成においても、ドライブケース２の下方の空気が吸気され、半導体レーザ５に向けて直接吹き付けられることは、前記実施の形態１と同様である。
また、ダクト１９は平板状部材で形成することができ、簡単な構造で、吹出流の向きを変えることができる。
本実施の形態によれば、半導体レーザ５と吹出口１２ｂとが対向していない場合においても、ダクト１９を設けることにより、簡単な構造で吹出流を半導体レーザ５に直接吹き付けることができ、前記実施の形態１と同様の効果が得られる。
（実施の形態３）
図５及び図６は、本発明の実施の形態３に係る光ディスク装置の内部構造の概略を示す平面図である。図５及び図６において、図２と同一の作用をする部位には同じ符号を付している。図５の状態は、光ヘッド７が光ディスク８の内周側にある状態を示しており、図６の状態は、光ヘッド７が光ディスク８の外周側にある状態を示している。
ダクトを形成する風向板２０は、２つの羽根板２０ａ及び２０ｂが、連結板２０ｃで連結され、平行リンクを構成している。２つの羽根板２０ａ及び２０ｂの一端はドライブケース２に回動可能に固定され、他端は連結板２０ｃに回動可能に固定されている。このような固定は、突出ピンと羽根板２０ａ及び２０ｂに設けた孔とを係合させることにより可能である。また、連結板２０ｃは、光ヘッド７に固定されているので、光ヘッド７の移動と一体になって移動する。
図５に示すように、光ヘッド７が光ディスク８の内周側に移動したときは、光ヘッド７の移動により連結板２０ｃに並進方向の駆動力が作用し、これにより羽根板２０ａ、２０ｂが光ディスク８の内周側に回動し、吹出口１２ｂから半導体レーザ５に向かうダクトが形成される。このことにより、吹出口１２ｂから吹き出す吹出流は、半導体レーザ５に向けて直接吹き付けられることとなる。
図６に示すように、光ヘッド７が光ディスク８の外周側に移動したときは、羽根板２０ａ、２０ｂが光ディスク８の外周側に回動し、吹出口１２ｂから半導体レーザ５に向かうダクトが形成される。このことにより、吹出口１２ｂから吹き出す吹出流は、半導体レーザ５に向けて直接吹き付けられることとなる。
本実施の形態によれば、光ヘッド７の移動に連動して風向板２０が回動して風向板２０の傾斜角度が変化し、撹拌ファン１２の吹出流の向きが変化することになる。この傾斜角度の変化により、吹出流の向きが光ヘッド７の移動に追従することになる。このため、光ヘッド７が可動範囲のどの位置にあっても、攪拌ファン１２の吹出流が直接半導体レーザ５に吹き付けられることになり、半導体レーザ５の温度は、常に低く保たれることになる。
また、風向板２０によって、風向き制御可能なダクトが形成されるので、吹出流のほとんど全てを半導体レーザ５に向けて直接吹き付けることができる。このため、より効率の高い熱移動を起こすことができ、半導体レーザ５の温度上昇をより効果的に抑制することができる。また、このように攪拌ファン１２の能力を効率的に発揮できるので、攪拌ファン１２の小型化も可能となり、装置の小型化を実現することができる。
（実施の形態４）
図７は、本発明の実施の形態４に係る光ディスク装置の内部構造の概略を示す平面図である。図８は、図７に示した光ディスク装置の内部構造の概略を示す正面図である。図９は、図７に示した光ディスク装置の内部構造の概略を示す側面図である。
図１０は、図７に示した光ディスク装置において、第１の光ヘッド２６の動作時における光ディスク装置の内部構造の概略を示す正面図である。図１１は、図１０の状態における光ディスク装置の内部構造の概略を示す側面図ある。
図１２は、図７に示した光ディスク装置において、第２の光ヘッド３２の動作時における光ディスク装置の内部構造の概略を示す正面図である。図１３は、図１２の状態にける光ディスク装置の内部構造の概略を示す側面図である。
図７に示したように、光ディスク装置の本体ケース２１の内部には、ドライブケース２２が搭載されている。ドライブケース２２によって、本体ケース２１の内部は、デッキ領域２３とドライブ領域２４とに区画されている。ドライブ領域２４は、外気に対して密閉構造になっている。
ドライブ領域２４には、短波長での記録再生のための光源である青色レーザ２５が搭載された第１の光ヘッド２６が、第１のガイドシャフト２９ａ、２９ｂに支持されて配置されている。第１のガイドシャフト２９ａは、スクリューシャフトであり、その端部が第１の送りモータ２８の回転軸に連結されている。
青色レーザ用光ディスク４５は、回転駆動手段である第１のディスクモータ２７にチャッキングされて回転駆動される。第１のディスクモータ２７、第１の光ヘッド２６を支持した第１のガイドシャフト２９ａ、２９ｂ及び第１の送りモータ２８は、第１の移送ベース３０に固定されている。これらの各構成要素により、第１の移送機構５３が構成されている。
また、長波長での記録再生のための光源である赤色レーザ３１が搭載された第２の光ヘッド３２が、第２のガイドシャフト３５ａ、３５ｂに支持されて配置されている。第２のガイドシャフト３５ａは、スクリューシャフトであり、その端部が第２の送りモータ３４の回転軸に連結されている。
赤色レーザ用光ディスク４６（図１２参照）は、回転駆動手段である第２のディスクモータ３３にチャッキングされて回転駆動される。第２のディスクモータ３３、第２の光ヘッド３２を支持した第２のガイドシャフト３５ａ、３５ｂ及び第２の送りモータ３４は、第２の移送ベース３６に固定されている。これらの各構成要素により、第２の移送機構５４が構成されている。
第１の移送ベース３０及び第２の移送ベース３６は、青色レーザ用光ディスク４５又は赤色レーザ用光ディスク４６の面と平行な平面内に、第１、第２の移送ベース３０、３６の移送方向と垂直な方向（矢印ｂ方向）に並列配置されており、昇降回動軸４７によって、各々独立に回動自在なように支持されている。
前記の構成において、第１、第２の光ヘッド２６、３２、第１、第２ディスクモータ２７、３３、及び第１、第２の移送機構５３、５４によって光ディスクドライブメカニズムが構成されている。
なお、図示は省略しているが、本実施の形態では、トレイ上に載置した、青色レーザ用光ディスク４５、赤色レーザ用光ディスク４６をそれぞれ別個に、ドライブケース２２に搬入、及びドライブケース２２から搬出させるローディング機構、この搬入及び搬出のためのドライブケース２２の開閉機構を備えている。
図８に示したように、ドライブケース２２の側面のうち、ドライブケース２２の下部には、吸気口３８が設けられている。この吸気口３８の上部に、吹出口３９が形成されている。吸気口３８と吹出口３９は、風導管４０によってつながっている。風導管４０は、ドライブ領域２４の密閉性を損なわないように、ドライブケース２２に密着して取付けられている。風導管４０の内部には、撹拌ファン３７が取付けられている。
風導管４０は、ドライブケース２２の外側に延出するように配置されているので、デッキ領域２３の空間を有効利用でき、装置を大型化することなく、撹拌ファン３７を設けることができる。
また、吹出口３９からの吹出流が青色レーザ２５に向けて直接吹き付けられるように、吹出口３９と青色レーザ２５とが対向して配置されている。さらに、風導管４０が形成された突出部分は、断熱材４８で覆われている。
図８に示したように、ケース本体２１内のデッキ領域２３には、第１、第２の移送機構を駆動する回路基板４１がドライブケース２２の下方に配置されており、この回路基板４１に電力を供給する電源４２が、ドライブケース２２の側面側に配置されている。
以上のように構成された光ディスク装置について、以下その動作をより具体的に説明する。
図７に示したように、第１の光ヘッド２６による記録再生時には、青色レーザ用光ディスク４５がディスクモータ２７に装着されて、光ディスク装置が記録再生動作を開始する。この状態では、図１０に示したように、第２の光ヘッド３２は非動作状態であり、第２の移送ベース３６は昇降回動軸４７を回動中心として、回動傾斜して第２の光ヘッド３２は、記録再生動作時の位置から降下した位置に位置決めされている。
第１の光ヘッド２６の記録再生の開始により、電源４２自身が発熱する。さらに、光ヘッド７の青色レーザ２５、光ディスク４５を回転駆動する第１のディスクモータ２７、第１の光ヘッド２６を光ディスク４５の半径方向に移送する駆動力を発生する第１の送りモータ２８、及び光ディスクドライブメカニズムを駆動するドライブ回路４１に、電源４２によって電力が供給される。このため、これらの各構成要素も発熱する。
ここで、図７に示したように、筐体２１に形成された排気孔４９の位置には、デッキファン４３が取付けられており、筐体２１の下面には通気孔４４が設けられている。デッキファン４３の回転軸方向について見ると、デッキファン４３と、電源４２とは回転軸方向に並列して配置されている。また、図８に示したように、デッキファン４３の正面側から見ると、デッキファン４３と、電源４２とは上下方向に並列して配置されている。
デッキファン４３の回転により、通気孔４４から外部の空気がデッキ領域２３の内部に取り入れられ、デッキ領域２３の空気は排気孔４９を経て筐体２１の外部に排出される。
この空気の流れの途中に、回路基板４１及び電源４２があるので、これらから発生している熱は、外部から吸引され連続的に供給される空気に移動し、その空気は外部に排出されることになる。このことにより、デッキ領域２３の冷却が行われ、回路基板４１や電源４２で発生する熱が、ドライブケース２２の内部へ熱移動することを極力抑えている。
また前記のようなデッキファン４３と電源４２との位置関係により、電源４２の発熱により温度上昇した暖気を効率的に排出できる。
さらに、風導管４０は、断熱材４８で覆われているので、デッキ領域２３に配置されている回路基板又４１は電源４２の熱によって、風導管４０の内部を通過する空気の温度が上昇することを防止できるので、半導体レーザを高出力で使用する記録時においても、半導体レーザの温度を低く保つことができる。
一方、ドライブケース２２の内部では青色レーザ２５、第１のディスクモータ２７、第１の送りモータ２８が発熱し、温度分布が生じている。この場合、光源である青色レーザ２５の熱は自然放熱により上方へ移動する割合が高いので、ドライブ領域２４の高さ方向においては、上方の領域に比べて下方の領域の温度が低くなる。
この下方の低温空気は、図１０に示したように、撹拌ファン３７の回転により、吸気口３８から吸気され、吹出口３９から対向する青色レーザ２５に向けて直接吹き付けられる。このことにより、青色レーザ２５の熱を強制的に放熱させることができる。この場合、青色レーザ２５と吹出口３９は対向しているので、撹拌ファン３７が発生する風の流量及び流速が最も大きい状態で、下方の低温空気は青色レーザ２５に吹き付けられることとなる。このため、効率の高い熱移動が起こり、青色レーザ２５の温度上昇は効果的に抑制されることになる。
青色レーザ２５に吹き付けられた空気は、ドライブケース２２の上方を流動後、下方に還流し再び吸気口３８から吸気されることになる。すなわち、攪拌ファン３７の回転により、ドライブケース２２の内部の空気を下方から上方へ、さらに上方から下方へと流動するように、強制対流させることができる。このことにより、青色レーザ２５以外の熱源である第１のディスクモータ２７や第１の送りモータ２８の温度上昇も抑えられることになる。
また、第１の光ヘッド２６が可動範囲内のどの位置にあっても、攪拌ファン３７からの吹出流が青色レーザ２５に吹き付けられるようにすれば、常に青色レーザ２５の温度は低く保たれることになる。これは、攪拌ファン３７の配置位置の調整によって実現できる。具体的には、光ディスクの径方向における攪拌ファン３７の配置位置の調整、攪拌ファン３７と半導体レーザ２５との間の距離の調整や、吹出口３９の大きさの調整を行うことになる。
ここで、第１、第２の光ヘッド２６、３２は並列して配置されているが、攪拌ファン３７に近い側に、青色レーザ２５用の第１の光ヘッド２６が配置されている。さらに、青色レーザ２５は、第１の光ヘッド２６の移送方向と垂直な方向における側面のうち、撹拌ファン３７に近い側の側面に配置されている。このことにより、短波長で赤色レーザ３１に比べ温度上昇の大きい青色レーザ２５を効率的に冷却することができる。
次に、第２の光ヘッド３２の記録再生時には、青色レーザ用光ディスク４６（図１２）が、図７に示した第２のディスクモータ３３に装着されて、光ディスク装置が記録再生動作を開始すると、電源４２自身が発熱する。さらに、赤色レーザ３１に加え、光ディスク４６を回転駆動する第２のディスクモータ３３、第２の光ヘッド３２を光ディスク４６の半径方向に移送する駆動力を発生する第２の送りモータ３４、及び光ディスクドライブメカニズムを駆動するドライブ回路４１に、電源４２によって電力が供給されるので、これらの各構成要素も発熱する。
この状態では、図１２に示したように、第１の光ヘッド２６は非動作状態であり、第１の移送ベース３０は昇降回動軸４７を回動中心として回動傾斜して第１の光ヘッド２６が記録再生動作時の位置から降下した位置に位置決めされている。
デッキファン４３の回転により、デッキ領域２３に通気孔４４からデッキファン４３へと流動する空気の流れが生じる。このため、回路基板４１や電源４２で発生する熱が、ドライブケース２２の内部へ熱移動することが抑えられる。このことは、第１の光ヘッド２６の動作時と同様である。
ドライブケース２２の内部では赤色レーザ３１、第２のディスクモータ３３、第２の送りモータ３４が発熱し、温度分布が生じている。この場合、光源の熱は自然放熱により上方へ移動する割合が高いので、ドライブ領域２４の高さ方向においては、上方の領域に比べて下方の領域の温度が低くなる。
ここで、前記のように、第１の光ヘッド２６は非動作状態であり、第１の光ヘッド２６の周囲は、第１の光ヘッド２６自体による温度上昇はない。また、第１の光ヘッド２６は、図１２、１３に示したように、回動軸４７を中心として下方に回動している。また、赤色レーザ３１は、第２の光ヘッド３２の移送方向と垂直な方向における側面のうち、撹拌ファン３７に近い側の側面に配置されている。
このことにより、攪拌ファン３７からの吹出流は、温度上昇することなく、遮蔽物に妨げられて流速が低下することもなく、図１２に示したように、第１の光ヘッド２６の上側の空間を通過して、赤色レーザ３１に直接吹き付けられることになる。すなわち、ドライブケース２２の下方の低温空気は、攪拌ファン３７の回転により、吸気口３８から吸気され、吹出口３９から対向する赤色レーザ３１に向けて直接吹き付けられるので、赤色レーザ３１の熱を強制的に放熱させることができる。
赤色レーザ３１に吹き付けられた空気は、下方に還流し再び吸気口３８から吸気されることになる。すなわち、攪拌ファン３７の回転により、ドライブケース２２の内部の空気を下方から上方へ、さらに上方から下方へと流動するように、強制対流させることができる。このことにより、赤色レーザ３１以外の熱源である第２のディスクモータ３３や第２の送りモータ３４の温度上昇も抑えられることになる。
ここで、本実施の形態は、２つのヘッドユニットを用いているが、前記のように、攪拌ファン３７の位置から遠い位置にある赤色レーザ用の光ヘッドの動作時においても、攪拌ファン３７からの吹出流は、温度上昇することなく、遮蔽物に妨げられて流速が低下することもなく、第１の光ヘッド２６の上側の空間を通過して、赤色レーザ３１に直接吹き付けられることになる。このため、特別に攪拌ファン３７を増加させる必要がなく、攪拌ファン３７は１個で足り、装置の大型化を抑えることができる。
また、ドライブ領域２４の内部の防塵性が確保され、光ヘッド２６、３２の光学系、特に対物レンズの防塵性も確保されていることは、前記実施の形態１と同様である。
以上のように、本実施の形態は、２つのヘッドユニットを用いた構成であるが、前記実施の形態１と同様に、装置を大型化せず半導体レーザの温度上昇を効果的に抑制することができ、光ディスク装置として熱及び塵埃に対する高い信頼性と耐久性を実現することができる。
（実施の形態５）
図１４は、本発明の実施の形態５に係る光ディスク装置の内部構造の概略を示す側面図である。本図において、図８と同一の作用をする部位には同じ符号を付している。
本実施の形態の構成は、風導管４０が形成された突出部分は、高熱伝導材５３によって覆われており、その外側にペルチェ素子５４を挟み込んで放熱フィン５５が密着して取付けられている。
ペルチェ素子５４の熱電変換作用により、高熱伝導材５３が冷却され、風導管４０の内部を通過する空気を強制的に冷却することができる。また、ペルチェ素子５４自身が発熱する熱は、放熱フィン５５に熱移動し、デッキファン４３による風によって放熱される。
この構成によれば、強制冷却された空気が、吹出口３９からドライブケース２２の内部に吹き出すので、周囲の温度状況にかかわらず、青色レーザ２５又は赤色レーザ３１を強制的に冷却することができる。
このため、青色レーザ２５及び赤色レーザ３１を高出力で使用する記録時においても、レーザ素子の温度を低く保つことができ、素子寿命の長期化が可能になる。
本実施の形態では、冷却手段としてペルチェ素子５３を用いた例で説明したが、放熱フィン５５のみの構成でもよい。また、ヒートパイプや高熱伝導性材と放熱フィンとを組み合わせた構成でもよい。この構成によれば、ヒートパイプや高熱伝導性材により熱移動が促進されるので、冷却効果を高めることができる。
また、本実施の形態は、第１の移送機構及び第２の移送機構を備えた構成の例で説明したが、移送機構が１つの構成に適用してもよい。
なお、前記実施の形態１において、集塵フィルタ１７を設けた例で説明したが、集塵フィルタは実施の形態２から５のいずれかに設けてもよい。
また、前記実施の形態２においてダクト１９を設けた構成、前記実施の形態３において風切板２０を設けた構成について説明したが、これらを前記実施の形態１、４、５のいずれかに設けてもよい。
また、前記実施の形態４において、風導管４０が断熱材４８で覆われた構成を説明したが、これを前記実施の形態１から３のいずれかに適用してもよい。
また、前記実施の形態１において、光ヘッド７上に吹出口１２ｂと対物レンズ６とを結ぶ直線上に遮蔽板１８を設けた構成を説明したが、実施の形態２から５のいずれかに設けてもよい。
【産業上の利用可能性】  以上のように、本発明によれば、防塵性を確保した上で、装置を大型化することなく半導体レーザの温度上昇を効果的に抑制することができ、熱及び塵埃に対する高い信頼性と耐久性を実現することができるので、映像用、音楽用、コンピュータ・データ用等の情報記録媒体である光ディスクを用いて情報の記録再生を行う光ディスク装置に有用である。
【図１】
2004034399.tif 000003
【図２】
2004034399.tif 000004
【図３】
2004034399.tif 000005
【図４】
2004034399.tif 000006
【図５】
2004034399.tif 000007
【図６】
2004034399.tif 000008
【図７】
2004034399.tif 000009
【図８】
2004034399.tif 000010
【図９】
2004034399.tif 000011
【図１０】
2004034399.tif 000012
【図１１】
2004034399.tif 000013
【図１２】
2004034399.tif 000014
【図１３】
2004034399.tif 000015
【図１４】
2004034399.tif 000016
【手続補正書】
【提出日】平成16年11月11日(2004.11.11)
【手続補正１】
【補正対象書類名】特許請求の範囲
【補正対象項目名】全文
【補正方法】変更
【補正の内容】
【特許請求の範囲】
【請求項１】
筐体状のドライブケース内に、半導体レーザを搭載した光ヘッドと、光ディスクを駆動する回転駆動手段と、前記光ヘッドを移送する移送機構とを備えた光ディスクドライブメカニズムが配置されており、
前記ドライブケース内の空気を流動させる撹拌ファンを備えており、
前記撹拌ファンの回転により、前記ドライブケース内の空気が前記撹拌ファン側に吸気され、かつ前記吸気された空気が前記光ヘッド又は前記半導体レーザに向けて吹き出すように空気が流動する風路が形成されていることを特徴とする光ディスク装置。
【請求項２】
前記ドライブケースは、筐体状の本体ケース内に配置されており、前記本体ケース内は、前記ドライブケースと、外気との通気孔を有するデッキ領域とに区画されており、
前記デッキ領域に、前記光ディスクドライブメカニズムを駆動するドライブ回路と、前記ドライブ回路の電源が配置されている請求項１に記載の光ディスク装置。
【請求項３】
前記ドライブケースは、筐体状の本体ケース内に配置されており、前記本体ケース内は、前記ドライブケースと、外気との通気孔を有するデッキ領域とに区画されており、
前記光ヘッドは、短波長の半導体レーザを搭載した第１の光ヘッドと、長波長の半導体レーザを搭載した第２の光ヘッドとであり、
前記光ディスクドライブメカニズムは、前記第１、第２の光ヘッドと、前記第１の光ヘッドを移送する第１の移送機構と、前記第２の光ヘッドを移送する第２の移送機構と、前記第１及び第２の移送機構にそれぞれ独立して設けられ光ディスクを駆動する回転駆動手段とを備えており、
前記第１及び第２の移送機構は、前記回転駆動手段に搭載された光ディスクの面と平行で、かつ前記第１及び第２の光ヘッドの移送方向と垂直な方向に並列配置されており、
前記デッキ領域に、前記光ディスクドライブメカニズムを駆動するドライブ回路と、前記ドライブ回路の電源が配置されており、
前記撹拌ファンは、前記撹拌ファンから吹き出した空気が、前記第１の移送機構、前記第２の移送機構の順に流れるように、前記第１の移送機構と対向する位置に配置されている請求項１に記載の光ディスク装置。
【請求項４】
前記短波長の半導体レーザは、前記第１の光ヘッドの移送方向と垂直な方向における側面のうち、前記撹拌ファンに近い側の側面に配置されている請求項３に記載の光ディスク装置。
【請求項５】
前記長波長の半導体レーザは、前記第２の光ヘッドの移送方向と垂直な方向における側面のうち、前記撹拌ファンに近い側の側面に配置されている請求項３に記載の光ディスク装置。
【請求項６】
前記第２の光ヘッドの記録再生時においては、前記撹拌ファンから吹き出した空気が、第２の光ヘッドに直接吹き付けられるように、前記第１の移送機構の位置が変化する請求項３に記載の光ディスク装置。
【請求項７】
前記風路は、前記光ヘッドより下方の空気を吸気し、前記吸気された空気が、前記撹拌ファンを経て、前記光ヘッド又は前記半導体レーザに向けて吹き出すように形成されている請求項１に記載の光ディスク装置。
【請求項８】
前記ドライブケースの側壁に、前記ドライブケース内の空気を吸気する吸気口と、前記ドライブケース内に空気を吹き出す吹出口とが形成されており、
前記風路は、前記吸気口と前記吹出口とをつなぎ、前記ドライブケースの外側に延出した風導管で形成されており、前記撹拌ファンは前記風導管内に配置されている請求項１に記載の光ディスク装置。
【請求項９】
前記風導管は、断熱材で覆われている請求項８に記載の光ディスク装置。
【請求項１０】
前記風導管を通過する空気を冷却する冷却手段を備えた請求項８に記載の光ディスク装置。
【請求項１１】
前記冷却手段は、空冷方式である請求項１０に記載の光ディスク装置。
【請求項１２】
前記冷却手段は、前記風導管に取付けたヒートパイプ又は高熱伝導性材料である請求項１０に記載の光ディスク装置。
【請求項１３】
前記冷却手段は、ペルチェ素子である請求項１０に記載の光ディスク装置。
【請求項１４】
前記光ヘッドの可動範囲の全域にわたって、前記光ヘッド又は前記半導体レーザに、前記撹拌ファンから吹き出した空気を吹き付けるように、前記攪拌ファンが配置されている請求項１に記載の光ディスク装置。
【請求項１５】
前記光ヘッドの可動範囲の全域にわたって、前記光ヘッド又は前記半導体レーザに、前記撹拌ファンから吹き出した空気を吹き付けるように、ダクトが配置されている請求項１に記載の光ディスク装置。
【請求項１６】
前記ダクトは風向板であり、前記光ヘッドの前記光ディスクの半径方向の移動と連動して前記風向板の傾斜角度が変化し、前記傾斜角度の変化により、前記撹拌ファンの吹出流の向きが、前記光ヘッドの移動に追従する請求項１５に記載の光ディスク装置。
【請求項１７】
前記吸気された空気の集塵をする集塵フィルタを設けている請求項１に記載の光ディスク装置。
【請求項１８】
前記撹拌ファンの吹出流の前記ドライブケース内への吹き出し位置と、前記光ヘッドに搭載され前記半導体レーザの光を集光する対物レンズとを結ぶ直線上に、遮蔽板を設けている請求項１に記載の光ディスク装置。
【手続補正２】
【補正対象書類名】明細書
【補正対象項目名】全文
【補正方法】変更
【補正の内容】
【発明の詳細な説明】
【技術分野】
【０００１】
本発明は、光ディスクドライブを搭載した光ディスク装置に関する。
【背景技術】
【０００２】
一般に、光ディスクドライブ内に塵埃が侵入し続けると、光ヘッドの光学系、特に対物レンズに埃が付着し光ヘッドから出射する光の光量の低下が進行する。光の光量の低下が進行すると、記録再生信号、対物レンズのフォーカシング制御信号、及びトラッキング制御信号の振幅が劣化し続け、ついにはシステムが破綻し記録再生ができなくなる。したがって、光ディスクドライブの信頼性を確保するために、光ディスクドライブを密閉構造とするなど塵埃の侵入を極力防ぐ防塵対策が必要となる。
【０００３】
その一方で、光ディスクドライブを搭載した光ディスク装置には、ディスクモータ、光ヘッド移送モータ、光ヘッドに搭載される半導体レーザ、これらを駆動するドライブ回路、及び電源といった発熱源となる部品が装備されている。
【０００４】
前記のような防塵対策のため、光ディスクドライブを密閉構造とすると、当然各々の発熱源の熱は移動しにくくなり、熱がその場に留まって蓄積されていくこととなる。特に半導体レーザは、使用温度環境と寿命との間に相関があり、高温で使用すると素子の寿命が短くなる。このため、できるだけ低い温度環境で動作させることが望ましいが、高出力で使用する記録時には素子自身の発熱が大きくなる。
【０００５】
さらに光ディスクドライブが密閉されていることによって、熱が蓄積して素子の温度が上昇し、寿命を考慮した素子の保証温度範囲を超えてしまう。すなわち、装置としての十分な信頼性を確保するためには、半導体レーザの放熱対策が必要となる。
【０００６】
防塵対策と放熱対策という相反する課題を同時に解決するものとして、例えば下記特許文献１に提案されている光ディスクサブシステム装置がある。この装置は、光ディスクドライブと、光ディスクドライブを駆動するための電源と、筐体内を冷却するための冷却手段とを搭載した光ディスクサブシステム装置において、筐体内を敷居板により第１室と第２室とに区画形成し、第１室を密閉して光ディスクドライブ及び冷却手段を配置し、この冷却手段により内部空気循環路を形成するというものである。
【０００７】
この従来例によれば、第１室は密閉されているので、配置される光ディスクドライブは防塵による悪影響は除去され、また冷却手段により内部に空気が循環するので、第１室内の温度の分布が徐々に均質化され、光ヘッドに搭載された半導体レーザの温度も低下することになる。
【特許文献１】特開平０８−１０２１８０号公報
【発明の開示】
【発明が解決しようとする課題】
【０００８】
しかしながら、この構成は密閉された第１室内に内部空気循環路を形成して、第１室の室内全体に空気の流れを形成するものである。この空気の流れは、室内の温度分布を均一化させる熱移動を起こす効果があるが、一般に空冷による熱移動は空気の流れの流量と流速が大きいほど効率よく行われる。
【０００９】
このため、熱源が発生する熱量に対して、流量又は流速が小さいと熱源の放熱効果も小さいものとなる。半導体レーザは、光ディスクの構成要素の中で最も耐熱性が低くかつ熱源でもあるので、半導体レーザの温度上昇を抑制することが、装置の熱的な信頼性及び耐久性を向上するために最も効果的である。
【００１０】
前記特許文献１に記載の装置は、第１室の室内全体に空気の流れを形成するものであり、半導体レーザに到達する空気の流れの流量及び流速は、ファンによって発生させた空気の流れの一部である。この構成では、半導体レーザの温度上昇を抑制するには効率が低くなり、十分な放熱効果を得ることができない。この場合、半導体レーザの放熱効果を高めるには、径の大きなファンを用いて流量を増大させ、ファンの回転数を上げて流速を高める必要がある。
【００１１】
しかしながら、ファンの径を大きくすると、装置が大型化してしまい商品性を損なうため流量の増大には限界がある。さらに、ファンの回転数を上げるとファンの騒音が大きくなり商品性を損なうことに加えて、ファン自身の発熱が大きくなり、このことが放熱効果を低下させることになり、流速の向上にも限界がある。
【００１２】
したがって、特許文献１の構成では、半導体レーザに対して所望の放熱効果を得るためには限界があり、装置の熱的な信頼性及び耐久性を確保することができないという問題点があった。
【００１３】
また、上記の従来例の装置では、光ディスクドライブが構成されるエリア以外の場所を通過する空気循環路を形成しており、装置全体が大型化してしまい商品性を損なうという問題点があった。
【００１４】
本発明は、前記のような従来の問題点を解決するものであり、光ディスクドライブを密閉構造として防塵性を確保しながら、効率的な熱移動により半導体レーザの温度上昇を抑制することができ、装置の熱的な信頼性及び耐久性を向上することができる光ディスク装置を提供することを目的としている。
【課題を解決するための手段】
【００１５】
前記目的を達成するために、本発明の光ディスク装置は、筐体状のドライブケース内に、半導体レーザを搭載した光ヘッドと、光ディスクを駆動する回転駆動手段と、前記光ヘッドを移送する移送機構とを備えた光ディスクドライブメカニズムが配置されており、前記ドライブケース内の空気を流動させる撹拌ファンを備えており、前記撹拌ファンの回転により、前記ドライブケース内の空気が前記撹拌ファン側に吸気され、かつ前記吸気された空気が前記光ヘッド又は前記半導体レーザに向けて吹き出すように空気が流動する風路が形成されていることを特徴とする。
【発明を実施するための最良の形態】
【００１６】
本発明によれば、ドライブケース内に光ヘッドを収めて防塵性を確保した上で、ドライブケース内から吸気し攪拌ファンから吹き出した空気を光ヘッド又は半導体レーザに吹き付けるので、防塵性を確保しつつ、半導体レーザの温度上昇を効果的に抑制することができる。
【００１７】
前記本発明の光ディスク装置においては、前記ドライブケースは、筐体状の本体ケース内に配置されており、前記本体ケース内は、前記ドライブケースと、外気との通気孔を有するデッキ領域とに区画されており、前記デッキ領域に、前記光ディスクドライブメカニズムを駆動するドライブ回路と、前記ドライブ回路の電源が配置されていることが好ましい。この構成によれば、デッキ領域の通気孔から導入した外気により、デッキ領域の冷却を行うことができ、ドライブ回路や電源で発生する熱が、ドライブケースの内部へ熱移動することを抑えることができる。
【００１８】
また、前記ドライブケースは、筐体状の本体ケース内に配置されており、前記本体ケース内は、前記ドライブケースと、外気との通気孔を有するデッキ領域とに区画されており、前記光ヘッドは、短波長の半導体レーザを搭載した第１の光ヘッドと、長波長の半導体レーザを搭載した第２の光ヘッドとであり、前記光ディスクドライブメカニズムは、前記第１、第２の光ヘッドと、前記第１の光ヘッドを移送する第１の移送機構と、前記第２の光ヘッドを移送する第２の移送機構と、前記第１及び第２の移送機構にそれぞれ独立して設けられ光ディスクを駆動する回転駆動手段とを備えており、前記第１及び第２の移送機構は、前記回転駆動手段に搭載された光ディスクの面と平行で、かつ前記第１及び第２の光ヘッドの移送方向と垂直な方向に並列配置されており、前記デッキ領域に、前記光ディスクドライブメカニズムを駆動するドライブ回路と、前記ドライブ回路の電源が配置されており、前記撹拌ファンは、前記撹拌ファンから吹き出した空気が、前記第１の移送機構、前記第２の移送機構の順に流れるように、前記第１の移送機構と対向する位置に配置されていることが好ましい。
【００１９】
この構成によれば、第１、第２の光ヘッドを備えた構成において、攪拌ファンに近い側に、短波長の半導体レーザ用の第１の移送機構が配置されているので、長波長の半導体レーザに比べ温度上昇の大きい短波長の半導体レーザを効率的に冷却することができる。
【００２０】
さらに、デッキ領域の通気孔から導入した外気により、デッキ領域の冷却を行うことができ、ドライブ回路や電源で発生する熱が、ドライブケースの内部へ熱移動することを抑えることができる。
【００２１】
また、前記短波長の半導体レーザは、前記第１の光ヘッドの移送方向と垂直な方向における側面のうち、前記撹拌ファンに近い側の側面に配置されていることが好ましい。この構成によれば、短波長の半導体レーザをより効率的に冷却できる。
【００２２】
また、前記長波長の半導体レーザは、前記第２の光ヘッドの移送方向と垂直な方向における側面のうち、前記撹拌ファンに近い側の側面に配置されていることが好ましい。この構成によれば、長波長の半導体レーザをより効率的に冷却できる。
【００２３】
また、前記第２の光ヘッドの記録再生時においては、前記撹拌ファンから吹き出した空気が、第２の光ヘッドに直接吹き付けられるように、前記第１の移送機構の位置が変化することが好ましい。この構成によれば、攪拌ファンの位置から遠い第２の光ヘッドの動作時においても、攪拌ファンからの吹出流は、温度上昇することなく、遮蔽物に妨げられて流速が低下することもなく、長波長の半導体レーザに直接吹き付けられることになり、長波長の半導体レーザを効率良く冷却できる。
【００２４】
また、前記風路は、前記光ヘッドより下方の空気を吸気し、前記吸気された空気が、前記撹拌ファンを経て、前記光ヘッド又は前記半導体レーザに向けて吹き出すように形成されていることが好ましい。この構成によれば、前記光ヘッドの下方の低温空気を光ヘッド又は半導体レーザに向けて吹き出すので、冷却を効率良く行なうことができる。
【００２５】
また、前記ドライブケースの側壁に、前記ドライブケース内の空気を吸気する吸気口と、前記ドライブケース内に空気を吹き出す吹出口とが形成されており、前記風路は、前記吸気口と前記吹出口とをつなぎ、前記ドライブケースの外側に延出した風導管で形成されており、前記撹拌ファンは前記風導管内に配置されていることが好ましい。この構成によれば、風導管は、ドライブケースの外側に延出するように配置されているので、デッキ領域の空間を有効利用でき、装置を大型化することなく、撹拌ファンを設けることができる。
【００２６】
また、前記風導管は、断熱材で覆われていることが好ましい。この構成によれば、デッキ領域に配置されている回路基板又は電源の熱によって、風導管の内部を通過する空気の温度が上昇することを防止できるので、半導体レーザを高出力で使用する記録時においても、半導体レーザの温度を低く保つことができる。
【００２７】
また、前記風導管を通過する空気を冷却する冷却手段を備えたことが好ましい。この構成によれば、撹拌ファンによる冷却効果を高めることができ、周囲の温度状況による冷却効果の低下を抑えることができる。
【００２８】
また、前記冷却手段は、空冷方式であることが好ましい。この構成によれば、構造が簡単になる。
【００２９】
また、前記冷却手段は、前記風導管に取付けたヒートパイプ又は高熱伝導性材料であることが好ましい。この構成によれば、撹拌ファンによる冷却効果の向上に優れている。
【００３０】
また、前記冷却手段は、ペルチェ素子であることが好ましい。この構成によれば、撹拌ファンによる冷却効果の向上に優れている。
【００３１】
また、前記光ヘッドの可動範囲の全域にわたって、前記光ヘッド又は前記半導体レーザに、前記撹拌ファンから吹き出した空気を吹き付けるように、前記攪拌ファンが配置されていることが好ましい。この構成によれば、半導体レーザの温度を常に低く保つことができる。
【００３２】
また、前記光ヘッドの可動範囲の全域にわたって、前記光ヘッド又は前記半導体レーザに、前記撹拌ファンから吹き出した空気を吹き付けるように、ダクトが配置されていることが好ましい。この構成によれば、半導体レーザの温度を常に低く保つことができる。
【００３３】
また、前記ダクトは風向板であり、前記光ヘッドの前記光ディスクの半径方向の移動と連動して前記風向板の傾斜角度が変化し、前記傾斜角度の変化により、前記撹拌ファンの吹出流の向きが、前記光ヘッドの移動に追従することが好ましい。この構成によれば、光ヘッドが可動範囲のどの位置にあっても、攪拌ファンの吹出流が直接半導体レーザに吹き付けられることになり、半導体レーザの温度は、常に低く保たれることになる。
【００３４】
また、前記吸気された空気の集塵をする集塵フィルタを設けていることが好ましい。この構成によれば、ドライブケース内の塵埃は、撹拌ファンによる吸気の際に除塵され、吸気が継続するにつれて、ドライブケースの内部は、よりクリーンな環境が形成されていくことになる。
【００３５】
また、前記撹拌ファンの吹出流の前記ドライブケース内への吹き出し位置と、前記光ヘッドに搭載され前記半導体レーザの光を集光する対物レンズとを結ぶ直線上に、遮蔽板を設けていることが好ましい。この構成によれば、対物レンズに向かって吹き付けられた空気の流れを対物レンズの手前で乱すことができ、この空気に含まれている塵埃が対物レンズに付着するのを防止できる。
【００３６】
以下、本発明の実施の形態について、図面を参照しながら説明する。
【００３７】
（実施の形態１）
図１は本発明の実施の形態１に係る光ディスク装置の内部構造の概略を示す正面図、図２は図１に示した光ディスク装置の内部構造の概略を示す平面図である。図１、２において、筐体状の本体ケース１の内部には筐体状のドライブケース２が搭載されている。このドライブケース２によって本体ケース１の内部はデッキ領域３とドライブ領域４とに区画されている。また、ドライブ領域４は、ドライブケース２によって外気から密閉された密閉構造になっている。
【００３８】
図２に示したように、ドライブ領域４には、光ヘッド７が配置されており、光ヘッド７はガイドシャフト１１ａ、１１ｂに支持されている。光ヘッド７には、記録再生のための光源である半導体レーザ５、及び半導体レーザ５の光を集光する対物レンズ６が搭載されている。ガイドシャフト１１ａは、スクリューシャフトであり、その端部が送りモータ１０の回転軸に連結されている。これらのガイドシャフト１１ａ、１１ｂ、及び送りモータ１０によって、光ヘッド移送機構が構成されている。
【００３９】
光ディスク８は、回転駆動手段であるディスクモータ９にチャッキングされて配置されている。光ディスク８には、対物レンズ６によって集光された光が照射される。この光ヘッド７及びディスクモータ９に加え、前記の光ヘッド移送機構によって光ディスクドライブメカニズムが構成されている。
【００４０】
なお、図示は省略しているが、本実施の形態では、トレイ上に載置した光ディスク８を、ドライブケース２に搬入、及びドライブケース２から搬出させるローディング機構、この搬入及び搬出のためのドライブケース２の開閉機構を備えている。
【００４１】
図１に示したように、ドライブケース２の側面のうち、ドライブケース２の下部には、吸気口１２ａが設けられている。この吸気口１２ａの上部に、吹出口１２ｂが形成されている。吸気口１２ａと吹出口１２ｂは、風導管１２ｃによってつながっている。風導管１２ｃは、ドライブ領域４の密閉性を損なわないように、ドライブケース２に密着して取付けられている。風導管１２ｃの内部には、撹拌ファン１２が取付けられている。
【００４２】
風導管１２ｃは、ドライブケース２の外側に延出するように配置されているので、デッキ領域３の空間を有効利用でき、装置を大型化することなく、撹拌ファン１２を設けることができる。
【００４３】
撹拌ファン１２の回転により、ドライブケース２内の空気は、ドライブケース２の下部の吸気口１２ａを経て攪拌ファン１２に向けて吸気され、上部の吹出口１２ｂからドライブケース２内に吹き出される。
【００４４】
攪拌ファン１２と半導体レーザ５とは、対向するように配置されているので、攪拌ファン１２からの吹出流は、半導体レーザ５に向けて直接吹き付けられることになる。
【００４５】
次に、デッキ領域３のうち、ドライブケース２の上側には、光ディスクドライブメカニズムを駆動するドライブ回路１３が配置されている。ドライブケース２の側面側には、ドライブ回路１３に電力を供給する電源１４が配置されている。
【００４６】
以上のように構成された光ディスク装置について、以下その動作をより具体的に説明する。光ディスク８がディスクモータ９に装着されて、光ディスク装置が記録再生動作を開始すると、電源１４自身が発熱する。さらに、半導体レーザ５、光ディスク８を回転駆動するディスクモータ９、光ヘッド７を光ディスク８の半径方向に移送する駆動力を発生する送りモータ１０、及び光ディスクドライブメカニズムを駆動するドライブ回路１３に電源１４によって電力が供給される。このため、これらの各構成要素も発熱する。
【００４７】
ここで、図２に示したように、本体ケース１に形成された排気孔１９の位置には、デッキファン１５が取付けられており、本体ケース１の下面には通気孔１６が設けられている。デッキファン１５の回転軸方向について見ると、デッキファン１５と、電源１４とは回転軸方向に並列して配置されている。また、図１に示したように、デッキファン１５の正面側から見ると、デッキファン１５と、電源１４とは上下方向に並列して配置されている。
【００４８】
デッキファン１５の回転により、通気孔１６から外部の空気がデッキ領域３に取り入れられ、デッキ領域３の空気は排気孔１９を経て本体ケース１の外部に排出される。この空気の流れの途中に、ドライブ回路１３及び電源１４があるので、これらから発生している熱は、外部から吸引され連続的に供給される空気に移動し、その空気は外部に排出されることになる。
【００４９】
このことにより、デッキ領域３の冷却が行われ、ドライブ回路１３や電源１４で発生する熱が、ドライブケース２の内部へ熱移動することを極力抑えることができる。また、前記のようなデッキファン１５と電源１４との位置関係により、電源１４の発熱により温度上昇した暖気を効率的に排出できる。
【００５０】
一方、ドライブケース２の内部では半導体レーザ５、ディスクモータ９、送りモータ１０が発熱し、温度分布が生じている。この場合、光源である半導体レーザ５の熱は自然放熱により上方へ移動する割合が高いので、ドライブ領域４の高さ方向においては、上方の領域に比べて下方の領域の温度が低くなる。
【００５１】
この下方の低温空気は、撹拌ファン１２の回転により、吸気口１２ａから吸気され、吹出口１２ｂから対向する半導体レーザ５に向けて直接吹き付けられる。このことにより、半導体レーザ５の熱を強制的に放熱させることができる。この場合、半導体レーザ５と吹出口１２ｂは対向しているので、攪拌ファン１２が発生する風の流量及び流速が最も大きい状態で、下方の低温空気は半導体レーザ５に吹き付けられることになる。このため、効率の高い熱移動が起こり、半導体レーザ５の温度上昇は効果的に抑制されることになる。
【００５２】
半導体レーザ５に吹き付けられた空気は、ドライブケース２の上方を流動後、下方に還流し再び吸気口１２ａから吸気されることになる。すなわち、撹拌ファン１２の回転により、ドライブケース２の内部の空気を下方から上方へ、さらに上方から下方へと流動するように、強制対流させることができる。このことにより、半導体レーザ５以外の熱源であるディスクモータ９や送りモータ１０の温度上昇も抑えられることになる。
【００５３】
また、光ヘッド７が光ディスク８の内周から外周までの径方向（図２の矢印ａ方向）の可動範囲内のどの位置にあっても、攪拌ファン１２からの吹出流が半導体レーザ５に吹き付けられるようにすれば、常に半導体レーザ５の温度は低く保たれることになる。これは、攪拌ファン１２の配置位置の調整によって実現できる。具体的には、光ディスク８の径方向における攪拌ファン１２の配置位置の調整、攪拌ファン１２と半導体レーザ５との間の距離の調整や、吹出口１２ｂの大きさの調整を行うことになる。
【００５４】
以上のように、本実施の形態によれば、ドライブケース２を密閉構造として防塵性を確保した上で、装置を大型化することなく半導体レーザ５の温度上昇を効果的に抑制することができる。このため、半導体レーザ５を高出力で使用する記録時においても、素子の温度を低く保つことができ、素子寿命の長期化が可能となり、光ディスク装置として熱及び塵埃に対する高い信頼性と耐久性を実現することができる。
【００５５】
なお、本実施の形態では、攪拌ファンからの吹出流は、半導体レーザに吹き付けられるが、この吹出流は半導体レーザだけでなく、その近傍の光ヘッドにも吹き付けられることになる。このため、半導体レーザ近傍に配置され半導体レーザを駆動するためのＬＳＩや回路部品についても、冷却効果が高くなる。このことは、以下の実施の形態においても同様である。
【００５６】
また、本実施の形態では、前記のように、本体ケース１の内部は、ドライブケース２によって、密閉構造のドライブ領域４と、外気と通気性があるデッキ領域３とに区画されている。このため、ドライブ領域４の内部は防塵性が確保されており、光ヘッド７の光学系、特に対物レンズ６の防塵性も確保されている。
【００５７】
しかしながら、光ディスクの出し入れ時には、ドライブケース２の一部が開放するので、塵埃がドライブ領域４内に混入する可能性があり、塵埃が付着した光ディスクがドライブ領域４内に取り込まれる可能性もある。
【００５８】
可換媒体である光ディスク１３に塵埃が付着した状態でディスクモータ９に装着されると、ドライブケース２の内部で光ディスク１３の回転や撹拌ファン１２の気流により、空気が撹拌され塵埃が拡散することになる。
【００５９】
本実施の形態では、図１に示したように、吸気口１２ａには集塵フィルタ１７が取付けられているので、この塵埃は吸気口１２ａから吸気される際に集塵フィルタ１７によって除塵される。この動作を繰り返し行うことにより、ドライブケース２の内部は、よりクリーンな環境が形成されていくことになる。
【００６０】
また、空気が集塵フィルタ１７を通過しても、塵埃の一部が除去されなかった場合や、ドライブケース２の内部に浮遊する塵埃が吹出口１２ｂからの気流に巻き込まれた場合には、対物レンズ６に塵埃が付着する可能性がある。本実施の形態では、光ヘッド７上で吹出口１２ｂと対物レンズ６とを結ぶ直線上に遮蔽板１８が構成されている。このため、対物レンズ６に向かって吹き付けられた吹出流の流れを対物レンズの手前で乱すことができ、吹出流に含まれた塵埃が対物レンズ６に付着することを防止している。
【００６１】
以下、本実施の形態の効果を確認する実験を行ったので説明する。図３は、実験結果を示すグラフである。横軸は運転開始からの経過時間ｔ（分）で、縦軸は温度Ｔ（℃）である。ｔ１で示した区間は、撹拌ファン１２の動作を停止させた区間であり、ｔ２で示した区間は、撹拌ファン１２を動作させた区間である。線５０は半導体レーザ５の温度、線５１はドライブケース２の空間上部の温度、線５２はドライブケース２の空間下部の温度を示している。
【００６２】
区間ｔ１について見ると、ドライブケース２の空間温度は、時間が経過してもほとんど変化していない。これに対して、半導体レーザ５の温度は時間経過とともに上昇し、ドライブケース２の空間下部の温度に比べると最大２０℃程度の温度差を生じている。
【００６３】
一方、撹拌ファン１２を動作させた区間ｔ２について見ると、半導体レーザ５の温度は、急激に低下し１００分経過後は、区間ｔ２の最大値から１２℃程度低下した状態で、ほぼ安定状態になっている。
【００６４】
このような大幅な温度の下降は、半導体レーザ５の温度に比べ、約２０℃温度の低いドライブケース２の空間下部の空気を半導体レーザ５に直接吹き付けたことによるものと考えられ、本実施の形態の効果を確認することができた。
【００６５】
（実施の形態２）
図４は、本発明の実施の形態２に係る光ディスク装置の内部構造の概略を示す平面図である。図４において、図２と同一の作用をする部位には同じ符号を付している。
【００６６】
図４において、吹出口１２ｂの近傍にダクト１９が設けられている。
ダクト１９は、吹出口１２ｂからの吹出流が、半導体レーザ５に向かって流動するように配置されている。
【００６７】
図４の構成では、半導体レーザ５と吹出口１２ｂとが対向するように配置されていないが、ダクト１９により、吹出流の向きを変えることができ、撹拌ファン１２からの吹出流を半導体レーザ５に直接吹き付けることができる。この構成においても、ドライブケース２の下方の空気が吸気され、半導体レーザ５に向けて直接吹き付けられることは、前記実施の形態１と同様である。
【００６８】
また、ダクト１９は平板状部材で形成することができ、簡単な構造で、吹出流の向きを変えることができる。
【００６９】
本実施の形態によれば、半導体レーザ５と吹出口１２ｂとが対向していない場合においても、ダクト１９を設けることにより、簡単な構造で吹出流を半導体レーザ５に直接吹き付けることができ、前記実施の形態１と同様の効果が得られる。
【００７０】
（実施の形態３）
図５及び図６は、本発明の実施の形態３に係る光ディスク装置の内部構造の概略を示す平面図である。図５及び図６において、図２と同一の作用をする部位には同じ符号を付している。図５の状態は、光ヘッド７が光ディスク８の内周側にある状態を示しており、図６の状態は、光ヘッド７が光ディスク８の外周側にある状態を示している。
【００７１】
ダクトを形成する風向板２０は、２つの羽根板２０ａ及び２０ｂが、連結板２０ｃで連結され、平行リンクを構成している。２つの羽根板２０ａ及び２０ｂの一端はドライブケース２に回動可能に固定され、他端は連結板２０ｃに回動可能に固定されている。このような固定は、突出ピンと羽根板２０ａ及び２０ｂに設けた孔とを係合させることにより可能である。また、連結板２０ｃは、光ヘッド７に固定されているので、光ヘッド７の移動と一体になって移動する。
【００７２】
図５に示すように、光ヘッド７が光ディスク８の内周側に移動したときは、光ヘッド７の移動により連結板２０ｃに並進方向の駆動力が作用し、これにより羽根板２０ａ、２０ｂが光ディスク８の内周側に回動し、吹出口１２ｂから半導体レーザ５に向かうダクトが形成される。このことにより、吹出口１２ｂから吹き出す吹出流は、半導体レーザ５に向けて直接吹き付けられることとなる。
【００７３】
図６に示すように、光ヘッド７が光ディスク８の外周側に移動したときは、羽根板２０ａ、２０ｂが光ディスク８の外周側に回動し、吹出口１２ｂから半導体レーザ５に向かうダクトが形成される。このことにより、吹出口１２ｂから吹き出す吹出流は、半導体レーザ５に向けて直接吹き付けられることとなる。
【００７４】
本実施の形態によれば、光ヘッド７の移動に連動して風向板２０が回動して風向板２０の傾斜角度が変化し、撹拌ファン１２の吹出流の向きが変化することになる。この傾斜角度の変化により、吹出流の向きが光ヘッド７の移動に追従することになる。このため、光ヘッド７が可動範囲のどの位置にあっても、攪拌ファン１２の吹出流が直接半導体レーザ５に吹き付けられることになり、半導体レーザ５の温度は、常に低く保たれることになる。
【００７５】
また、風向板２０によって、風向き制御可能なダクトが形成されるので、吹出流のほとんど全てを半導体レーザ５に向けて直接吹き付けることができる。このため、より効率の高い熱移動を起こすことができ、半導体レーザ５の温度上昇をより効果的に抑制することができる。また、このように攪拌ファン１２の能力を効率的に発揮できるので、攪拌ファン１２の小型化も可能となり、装置の小型化を実現することができる。
【００７６】
（実施の形態４）
図７は、本発明の実施の形態４に係る光ディスク装置の内部構造の概略を示す平面図である。図８は、図７に示した光ディスク装置の内部構造の概略を示す正面図である。図９は、図７に示した光ディスク装置の内部構造の概略を示す側面図である。
【００７７】
図１０は、図７に示した光ディスク装置において、第１の光ヘッド２６の動作時における光ディスク装置の内部構造の概略を示す正面図である。図１１は、図１０の状態における光ディスク装置の内部構造の概略を示す側面図ある。
【００７８】
図１２は、図７に示した光ディスク装置において、第２の光ヘッド３２の動作時における光ディスク装置の内部構造の概略を示す正面図である。図１３は、図１２の状態にける光ディスク装置の内部構造の概略を示す側面図である。
【００７９】
図７に示したように、光ディスク装置の本体ケース２１の内部には、ドライブケース２２が搭載されている。ドライブケース２２によって、本体ケース２１の内部は、デッキ領域２３とドライブ領域２４とに区画されている。ドライブ領域２４は、外気に対して密閉構造になっている。
【００８０】
ドライブ領域２４には、短波長での記録再生のための光源である青色レーザ２５が搭載された第１の光ヘッド２６が、第１のガイドシャフト２９ａ、２９ｂに支持されて配置されている。第１のガイドシャフト２９ａは、スクリューシャフトであり、その端部が第１の送りモータ２８の回転軸に連結されている。
【００８１】
青色レーザ用光ディスク４５は、回転駆動手段である第１のディスクモータ２７にチャッキングされて回転駆動される。第１のディスクモータ２７、第１の光ヘッド２６を支持した第１のガイドシャフト２９ａ、２９ｂ及び第１の送りモータ２８は、第１の移送ベース３０に固定されている。これらの各構成要素により、第１の移送機構５３が構成されている。
【００８２】
また、長波長での記録再生のための光源である赤色レーザ３１が搭載された第２の光ヘッド３２が、第２のガイドシャフト３５ａ、３５ｂに支持されて配置されている。第２のガイドシャフト３５ａは、スクリューシャフトであり、その端部が第２の送りモータ３４の回転軸に連結されている。
【００８３】
赤色レーザ用光ディスク４６（図１２参照）は、回転駆動手段である第２のディスクモータ３３にチャッキングされて回転駆動される。第２のディスクモータ３３、第２の光ヘッド３２を支持した第２のガイドシャフト３５ａ、３５ｂ及び第２の送りモータ３４は、第２の移送ベース３６に固定されている。これらの各構成要素により、第２の移送機構５４が構成されている。
【００８４】
第１の移送ベース３０及び第２の移送ベース３６は、青色レーザ用光ディスク４５又は赤色レーザ用光ディスク４６の面と平行な平面内に、第１、第２の移送ベース３０、３６の移送方向と垂直な方向（矢印ｂ方向）に並列配置されており、昇降回動軸４７によって、各々独立に回動自在なように支持されている。
【００８５】
前記の構成において、第１、第２の光ヘッド２６、３２、第１、第２ディスクモータ２７、３３、及び第１、第２の移送機構５３、５４によって光ディスクドライブメカニズムが構成されている。
【００８６】
なお、図示は省略しているが、本実施の形態では、トレイ上に載置した、青色レーザ用光ディスク４５、赤色レーザ用光ディスク４６をそれぞれ別個に、ドライブケース２２に搬入、及びドライブケース２２から搬出させるローディング機構、この搬入及び搬出のためのドライブケース２２の開閉機構を備えている。
【００８７】
図８に示したように、ドライブケース２２の側面のうち、ドライブケース２２の下部には、吸気口３８が設けられている。この吸気口３８の上部に、吹出口３９が形成されている。吸気口３８と吹出口３９は、風導管４０によってつながっている。風導管４０は、ドライブ領域２４の密閉性を損なわないように、ドライブケース２２に密着して取付けられている。風導管４０の内部には、撹拌ファン３７が取付けられている。
【００８８】
風導管４０は、ドライブケース２２の外側に延出するように配置されているので、デッキ領域２３の空間を有効利用でき、装置を大型化することなく、撹拌ファン３７を設けることができる。
【００８９】
また、吹出口３９からの吹出流が青色レーザ２５に向けて直接吹き付けられるように、吹出口３９と青色レーザ２５とが対向して配置されている。さらに、風導管４０が形成された突出部分は、断熱材４８で覆われている。
【００９０】
図８に示したように、ケース本体２１内のデッキ領域２３には、第１、第２の移送機構を駆動する回路基板４１がドライブケース２２の下方に配置されており、この回路基板４１に電力を供給する電源４２が、ドライブケース２２の側面側に配置されている。
【００９１】
以上のように構成された光ディスク装置について、以下その動作をより具体的に説明する。
【００９２】
図７に示したように、第１の光ヘッド２６による記録再生時には、青色レーザ用光ディスク４５がディスクモータ２７に装着されて、光ディスク装置が記録再生動作を開始する。この状態では、図１０に示したように、第２の光ヘッド３２は非動作状態であり、第２の移送ベース３６は昇降回動軸４７を回動中心として、回動傾斜して第２の光ヘッド３２は、記録再生動作時の位置から降下した位置に位置決めされている。
【００９３】
第１の光ヘッド２６の記録再生の開始により、電源４２自身が発熱する。さらに、光ヘッド７の青色レーザ２５、光ディスク４５を回転駆動する第１のディスクモータ２７、第１の光ヘッド２６を光ディスク４５の半径方向に移送する駆動力を発生する第１の送りモータ２８、及び光ディスクドライブメカニズムを駆動するドライブ回路４１に、電源４２によって電力が供給される。このため、これらの各構成要素も発熱する。
【００９４】
ここで、図７に示したように、筐体２１に形成された排気孔４９の位置には、デッキファン４３が取付けられており、筐体２１の下面には通気孔４４が設けられている。デッキファン４３の回転軸方向について見ると、デッキファン４３と、電源４２とは回転軸方向に並列して配置されている。また、図８に示したように、デッキファン４３の正面側から見ると、デッキファン４３と、電源４２とは上下方向に並列して配置されている。
【００９５】
デッキファン４３の回転により、通気孔４４から外部の空気がデッキ領域２３の内部に取り入れられ、デッキ領域２３の空気は排気孔４９を経て筐体２１の外部に排出される。
【００９６】
この空気の流れの途中に、回路基板４１及び電源４２があるので、これらから発生している熱は、外部から吸引され連続的に供給される空気に移動し、その空気は外部に排出されることになる。このことにより、デッキ領域２３の冷却が行われ、回路基板４１や電源４２で発生する熱が、ドライブケース２２の内部へ熱移動することを極力抑えている。
【００９７】
また前記のようなデッキファン４３と電源４２との位置関係により、電源４２の発熱により温度上昇した暖気を効率的に排出できる。
【００９８】
さらに、風導管４０は、断熱材４８で覆われているので、デッキ領域２３に配置されている回路基板又４１は電源４２の熱によって、風導管４０の内部を通過する空気の温度が上昇することを防止できるので、半導体レーザを高出力で使用する記録時においても、半導体レーザの温度を低く保つことができる。
【００９９】
一方、ドライブケース２２の内部では青色レーザ２５、第１のディスクモータ２７、第１の送りモータ２８が発熱し、温度分布が生じている。この場合、光源である青色レーザ２５の熱は自然放熱により上方へ移動する割合が高いので、ドライブ領域２４の高さ方向においては、上方の領域に比べて下方の領域の温度が低くなる。
【０１００】
この下方の低温空気は、図１０に示したように、撹拌ファン３７の回転により、吸気口３８から吸気され、吹出口３９から対向する青色レーザ２５に向けて直接吹き付けられる。このことにより、青色レーザ２５の熱を強制的に放熱させることができる。この場合、青色レーザ２５と吹出口３９は対向しているので、撹拌ファン３７が発生する風の流量及び流速が最も大きい状態で、下方の低温空気は青色レーザ２５に吹き付けられることとなる。このため、効率の高い熱移動が起こり、青色レーザ２５の温度上昇は効果的に抑制されることになる。
【０１０１】
青色レーザ２５に吹き付けられた空気は、ドライブケース２２の上方を流動後、下方に還流し再び吸気口３８から吸気されることになる。すなわち、攪拌ファン３７の回転により、ドライブケース２２の内部の空気を下方から上方へ、さらに上方から下方へと流動するように、強制対流させることができる。このことにより、青色レーザ２５以外の熱源である第１のディスクモータ２７や第１の送りモータ２８の温度上昇も抑えられることになる。
【０１０２】
また、第１の光ヘッド２６が可動範囲内のどの位置にあっても、攪拌ファン３７からの吹出流が青色レーザ２５に吹き付けられるようにすれば、常に青色レーザ２５の温度は低く保たれることになる。これは、攪拌ファン３７の配置位置の調整によって実現できる。具体的には、光ディスクの径方向における攪拌ファン３７の配置位置の調整、攪拌ファン３７と半導体レーザ２５との間の距離の調整や、吹出口３９の大きさの調整を行うことになる。
【０１０３】
ここで、第１、第２の光ヘッド２６、３２は並列して配置されているが、攪拌ファン３７に近い側に、青色レーザ２５用の第１の光ヘッド２６が配置されている。さらに、青色レーザ２５は、第１の光ヘッド２６の移送方向と垂直な方向における側面のうち、撹拌ファン３７に近い側の側面に配置されている。このことにより、短波長で赤色レーザ３１に比べ温度上昇の大きい青色レーザ２５を効率的に冷却することができる。
【０１０４】
次に、第２の光ヘッド３２の記録再生時には、赤色レーザ用光ディスク４６（図１２）が、図７に示した第２のディスクモータ３３に装着されて、光ディスク装置が記録再生動作を開始すると、電源４２自身が発熱する。さらに、赤色レーザ３１に加え、光ディスク４６を回転駆動する第２のディスクモータ３３、第２の光ヘッド３２を光ディスク４６の半径方向に移送する駆動力を発生する第２の送りモータ３４、及び光ディスクドライブメカニズムを駆動するドライブ回路４１に、電源４２によって電力が供給されるので、これらの各構成要素も発熱する。
【０１０５】
この状態では、図１２に示したように、第１の光ヘッド２６は非動作状態であり、第１の移送ベース３０は昇降回動軸４７を回動中心として回動傾斜して第１の光ヘッド２６が記録再生動作時の位置から降下した位置に位置決めされている。
【０１０６】
デッキファン４３の回転により、デッキ領域２３に通気孔４４からデッキファン４３へと流動する空気の流れが生じる。このため、回路基板４１や電源４２で発生する熱が、ドライブケース２２の内部へ熱移動することが抑えられる。このことは、第１の光ヘッド２６の動作時と同様である。
【０１０７】
ドライブケース２２の内部では赤色レーザ３１、第２のディスクモータ３３、第２の送りモータ３４が発熱し、温度分布が生じている。この場合、光源の熱は自然放熱により上方へ移動する割合が高いので、ドライブ領域２４の高さ方向においては、上方の領域に比べて下方の領域の温度が低くなる。
【０１０８】
ここで、前記のように、第１の光ヘッド２６は非動作状態であり、第１の光ヘッド２６の周囲は、第１の光ヘッド２６自体による温度上昇はない。また、第１の光ヘッド２６は、図１２、１３に示したように、回動軸４７を中心として下方に回動している。また、赤色レーザ３１は、第２の光ヘッド３２の移送方向と垂直な方向における側面のうち、撹拌ファン３７に近い側の側面に配置されている。
【０１０９】
このことにより、攪拌ファン３７からの吹出流は、温度上昇することなく、遮蔽物に妨げられて流速が低下することもなく、図１２に示したように、第１の光ヘッド２６の上側の空間を通過して、赤色レーザ３１に直接吹き付けられることになる。すなわち、ドライブケース２２の下方の低温空気は、攪拌ファン３７の回転により、吸気口３８から吸気され、吹出口３９から対向する赤色レーザ３１に向けて直接吹き付けられるので、赤色レーザ３１の熱を強制的に放熱させることができる。
【０１１０】
赤色レーザ３１に吹き付けられた空気は、下方に還流し再び吸気口３８から吸気されることになる。すなわち、攪拌ファン３７の回転により、ドライブケース２２の内部の空気を下方から上方へ、さらに上方から下方へと流動するように、強制対流させることができる。このことにより、赤色レーザ３１以外の熱源である第２のディスクモータ３３や第２の送りモータ３４の温度上昇も抑えられることになる。
【０１１１】
ここで、本実施の形態は、２つのヘッドユニットを用いているが、前記のように、攪拌ファン３７の位置から遠い位置にある赤色レーザ用の光ヘッドの動作時においても、攪拌ファン３７からの吹出流は、温度上昇することなく、遮蔽物に妨げられて流速が低下することもなく、第１の光ヘッド２６の上側の空間を通過して、赤色レーザ３１に直接吹き付けられることになる。このため、特別に攪拌ファン３７を増加させる必要がなく、攪拌ファン３７は１個で足り、装置の大型化を抑えることができる。
【０１１２】
また、ドライブ領域２４の内部の防塵性が確保され、光ヘッド２６、３２の光学系、特に対物レンズの防塵性も確保されていることは、前記実施の形態１と同様である。
【０１１３】
以上のように、本実施の形態は、２つのヘッドユニットを用いた構成であるが、前記実施の形態１と同様に、装置を大型化せず半導体レーザの温度上昇を効果的に抑制することができ、光ディスク装置として熱及び塵埃に対する高い信頼性と耐久性を実現することができる。
（実施の形態５）
図１４は、本発明の実施の形態５に係る光ディスク装置の内部構造の概略を示す側面図である。本図において、図８と同一の作用をする部位には同じ符号を付している。
【０１１４】
本実施の形態の構成は、風導管４０が形成された突出部分は、高熱伝導材５３によって覆われており、その外側にペルチェ素子５４を挟み込んで放熱フィン５５が密着して取付けられている。
【０１１５】
ペルチェ素子５４の熱電変換作用により、高熱伝導材５３が冷却され、風導管４０の内部を通過する空気を強制的に冷却することができる。また、ペルチェ素子５４自身が発熱する熱は、放熱フィン５５に熱移動し、デッキファン４３による風によって放熱される。
【０１１６】
この構成によれば、強制冷却された空気が、吹出口３９からドライブケース２２の内部に吹き出すので、周囲の温度状況にかかわらず、青色レーザ２５又は赤色レーザ３１を強制的に冷却することができる。
【０１１７】
このため、青色レーザ２５及び赤色レーザ３１を高出力で使用する記録時においても、レーザ素子の温度を低く保つことができ、素子寿命の長期化が可能になる。
【０１１８】
本実施の形態では、冷却手段としてペルチェ素子５３を用いた例で説明したが、放熱フィン５５のみの構成でもよい。また、ヒートパイプや高熱伝導性材と放熱フィンとを組み合わせた構成でもよい。この構成によれば、ヒートパイプや高熱伝導性材により熱移動が促進されるので、冷却効果を高めることができる。
【０１１９】
また、本実施の形態は、第１の移送機構及び第２の移送機構を備えた構成の例で説明したが、移送機構が１つの構成に適用してもよい。
【０１２０】
なお、前記実施の形態１において、集塵フィルタ１７を設けた例で説明したが、集塵フィルタは実施の形態２から５のいずれかに設けてもよい。
【０１２１】
また、前記実施の形態２においてダクト１９を設けた構成、前記実施の形態３において風切板２０を設けた構成について説明したが、これらを前記実施の形態１、４、５のいずれかに設けてもよい。
【０１２２】
また、前記実施の形態４において、風導管４０が断熱材４８で覆われた構成を説明したが、これを前記実施の形態１から３のいずれかに適用してもよい。
【０１２３】
また、前記実施の形態１において、光ヘッド７上に吹出口１２ｂと対物レンズ６とを結ぶ直線上に遮蔽板１８を設けた構成を説明したが、実施の形態２から５のいずれかに設けてもよい。
【産業上の利用可能性】
【０１２４】
以上のように、本発明によれば、防塵性を確保した上で、装置を大型化することなく半導体レーザの温度上昇を効果的に抑制することができ、熱及び塵埃に対する高い信頼性と耐久性を実現することができるので、映像用、音楽用、コンピュータ・データ用等の情報記録媒体である光ディスクを用いて情報の記録再生を行う光ディスク装置に有用である。
【図面の簡単な説明】
【０１２５】
【図１】本発明の実施の形態１に係る光ディスク装置の内部構造の概略を示す正面図。
【図２】図１に示した光ディスク装置の内部構造の概略を示す平面図。
【図３】本発明の実施の形態１に係る光ディスク装置の実験結果を示す図。
【図４】本発明の実施の形態２に係る光ディスク装置の内部構造の概略を示す平面図。
【図５】本発明の実施の形態３に係る光ディスク装置の光ヘッド７が光ディスク８の内周側にある状態の内部構造の概略を示す平面図。
【図６】本発明の実施の形態３に係る光ディスク装置の光ヘッド７が光ディスク８の外周側にある状態の内部構造の概略を示す平面図。
【図７】本発明の実施の形態４に係る光ディスク装置の内部構造の概略を示す平面図。
【図８】図７に示した光ディスク装置の内部構造の概略を示す正面図。
【図９】図７に示した光ディスク装置の内部構造の概略を示す側面図。
【図１０】図７に示した光ディスク装置において、第１の光ヘッド２６の動作時における光ディスク装置の内部構造の概略を示す正面図。
【図１１】図１０の状態における光ディスク装置の内部構造の概略を示す側面図。
【図１２】図７に示した光ディスク装置において、第２の光ヘッド３２の動作時における光ディスク装置の内部構造の概略を示す正面図。
【図１３】図１２の状態における光ディスク装置の内部構造の概略を示す側面図。
【図１４】本発明の実施の形態５に係る光ディスク装置の内部構造の概略を示す側面図。
【国際調査報告】
2004034399.tif 000017
2004034399.tif 000018
2004034399.tif 000019